(57)【要約】【課題】  テープに一定のテンション付与可能なテープテンション付与装置およびこれを備えるテープ観察システムを提供する。【解決手段】  磁気テープＭＴにテンションを付与するテープテンション付与装置あって、磁気テープＭＴをうず巻きバネ３で引っ張るテープテンション付与装置である。また、このテープテンション付与装置と、テンションが付与された磁気テープＭＴを吸着する吸着台５と、吸着した磁気テープＭＴを光学的に観察する光学的観察手段７とを備えた磁気テープ観察システム１である。【選択図】      図１
2006092695.tif 000002
【特許請求の範囲】
【請求項１】
テープにテンションを付与するテープテンション付与装置あって、
前記テープをうず巻きバネで引っ張ることを特徴とするテープテンション付与装置。
【請求項２】
テンションが付与されたテープを観察するテープ観察システムであって、
請求項１に記載のテープテンション付与装置と、
テンションが付与されたテープを吸着する吸着台と、
吸着したテープを光学的に観察する光学的観察手段と、
を備えたことを特徴とするテープ観察システム。
【発明の詳細な説明】
【技術分野】
【０００１】
本発明は、テープテンション付与装置およびテープ観察システムに関する。
【背景技術】
【０００２】
近年、記録媒体として広く利用されている磁気テープは、その走行中、長手方向にテンションを受けている。すなわち、磁気テープの幅などは、走行中と停止中とで僅かながらも異なっている。そこで、磁気テープの幅などの形状や、磁気テープに書き込まれたサーボ信号の物理的寸法は、テンションを受ける走行状態と似た状態での測定が望まれている。
【０００３】
従来、このような走行中の磁気テープが受けるテンションを再現する方法としては、磁気テープをコイルバネで引っ張り、磁気テープにテンションを付与する方法が提案されている（特許文献１参照）。
【０００４】
【特許文献１】特開２００４−１５２４３２号公報（段落番号００１３、図１）
【発明の開示】
【発明が解決しようとする課題】
【０００５】
しかしながら、コイルバネを使用して磁気テープにテンションを付与する方法では、コイルバネの伸びに比例して、磁気テープに付与されるテンションが変化するため、その一定性、再現性が低いという問題があった。
【０００６】
そこで、本発明は、前記問題を解決すべく、テープに一定のテンションを付与可能なテープテンション付与装置およびこれを備えるテープ観察システムを提供することを課題とする。
【課題を解決するための手段】
【０００７】
前記課題を解決するための手段として、第１の発明は、テープにテンションを付与するテープテンション付与装置あって、前記テープをうず巻きバネで引っ張ることを特徴とするテープテンション付与装置である。
【０００８】
このようなテープテンション付与装置によれば、引き出し量に依存せず一定の引張力を有するうず巻きバネで、テープを引っ張ることにより、うず巻きバネの引き出し量に依存せずに、テープに一定のテンションを付与することができる。
【０００９】
第２の発明は、テンションが付与されたテープを観察するテープ観察システムであって、第１の発明に記載のテープテンション付与装置と、テンションが付与されたテープを吸着する吸着台と、吸着したテープを光学的に観察する光学的観察手段と、を備えたことを特徴とするテープ観察システムである。
【００１０】
このようなテープ観察システムによれば、吸着台で一定のテンションが付与されたテープを吸着することにより、テープのエッジがカールしたりすることを防止できる。そして、光学的観察手段により、吸着したテープの表面などを光学的に観察することができる。
【発明の効果】
【００１１】
本発明によれば、テープに一定のテンションを付与可能なテープテンション付与装置およびこれを備えるテープ観察システムを提供することができる。
【発明を実施するための最良の形態】
【００１２】
以下、本発明の一実施形態について、図１を参照して説明する。なお、図１は本実施形態に係る磁気テープ観察システム（テープ観察システム）の構成を模式的に示す側面図である。
【００１３】
≪磁気テープ観察システムの構成≫
図１に示すように、磁気テープ観察システム１は、主として、ステージ２と、うず巻きバネ３と、固定柱４と、吸着台５と、吸引ポンプ６と、光学的観察手段７とを備えている。言い換えると、磁気テープ観察システム１は、磁気テープＭＴを引っ張り、磁気テープＭＴの長手方向に一定テンションを付与するうず巻きバネ３、ステージ２および固定柱４を具備するテープテンション付与装置と、テンションが付与された磁気テープＭＴを吸着させるための吸着台５および吸引ポンプ６と、吸着した磁気テープＭＴを光学的に観察する光学的観察手段７とを備えている。
【００１４】
［ステージ］
ステージ２は、磁気テープ観察システム１の基台であり、図示しない実験台などに固定されている。
【００１５】
［うず巻きバネ］
うず巻きバネ３は、引き出し量に依存せずに、一定の引張力を有するバネである。うず巻きバネ３は、うず巻きバネ支持アーム３ａを介して、ステージ２に固定されている。うず巻きバネ３は、その先端にクリップ３ｂ（テープ連結治具）を有しており、クリップ３ｂで磁気テープＭＴを挟むことで、うず巻きバネ３と磁気テープＭＴとを連結可能となっている。
したがって、後記するように、磁気テープＭＴの一端をクリップ３ｂで挟み、そのまま磁気テープＭＴでうず巻きバネ３を引っ張り、磁気テープＭＴの他端を固定柱４のクリップ４ａで挟むことで、磁気テープＭＴに一定のテンションを付与可能となっている。
なお、磁気テープＭＴに付与にされるテンションの大きさは、ドライブ等で走行中に磁気テープＭＴが受けるテンションの大きさを考慮して設定する。具体的には、テンションの大きさは、うず巻きバネ３の板厚、幅、線径（巻径）、材質、バネ定数などに依存しており、例えば、１Ｎのテンションが磁気テープＭＴに付与されるうず巻きバネ３を選択する。
【００１６】
［固定柱］
固定柱４は、ステージ２に固定されており、クリップ４ａを有している。そして、一端がうず巻きバネ３にクリップ３ｂを介して連結した磁気テープＭＴの他端を、クリップ４ａで挟むことによって、磁気テープＭＴにテンションが付与された状態を維持可能となっている。
【００１７】
［吸着台］
吸着台５は、テンションが付与された磁気テープＭＴを吸着する台であり、うず巻きバネ３と固定柱４との間で、ステージ２の適所に固定されている。さらに説明すると、吸着台５は、クリップ３ｂ、４ａで張った磁気テープＭＴの面と、吸着台５の吸着面とが、略同一面となるように配置している。すなわち、吸着台５は、不要な摩擦力が生じるガイドローラなどを介さずに、テンションが付与された磁気テープＭＴの部分を吸着可能に配置されている。
【００１８】
吸着台５は、セラミック、焼結金属などから形成されており、２０％〜５０％の空隙率を有する多孔質体からなる台である。
そして、吸着台５は、磁気テープＭＴ側に面粗度が１μｍ以下の吸着面を有している。吸着面の面粗度を１μｍ以下としたことで、吸着した磁気テープＭＴが平坦化されるようになっている。なお、面粗度は、後記する微小細孔を除いた吸着面に対しての値である。
また、吸着面には、磁気テープＭＴの吸着を促進するため、開口径（直径）５０μｍ以下の微小細孔が形成されている。微小細孔の開口径を５０μｍ以下としたことで、磁気テープＭＴのエッジなどが微小細孔に落ち込むことを防止可能となっており、磁気テープＭＴを高精度で観察可能となっている。
【００１９】
［吸引ポンプ］
吸引ポンプ６（吸引手段）は、吸着台５内部の空気を吸引するポンプであり、配管６ａを介して吸着台５に接続している。そして、吸引ポンプ６を作動させることで、吸着台５内部の空気を吸引し、吸着台５に磁気テープＭＴを吸着可能となっている。また、吸引ポンプ６は吸引力が可変式であり、磁気テープＭＴの吸着（吸引）圧力を適宜に設定可能となっている。
このように、吸引ポンプ６を作動し、磁気テープＭＴを吸着台５に全面吸着させるため、エッジのカールなどの磁気テープＭＴの自発的な変形を抑制可能となっている。
ただし、吸着台５内部の空気を吸引する吸引手段としては、吸引ポンプ６に限定されず、その他の吸引手段であってもよい。
【００２０】
［光学的観察手段］
光学的観察手段７は、テンションが付与した状態で、吸着台５に吸着した磁気テープＭＴの表面を光学的に観察する手段であり、磁気テープＭＴを挟んで吸着台５の反対側（図１では上位）に配置される。このような光学的観察手段７としては、焦点距離の自動調節が可能な高倍率の顕微鏡、ＣＣＤカメラ、デジタルカメラ、イメージセンサなどを使用することができる。
【００２１】
≪磁気テープ観察システムの使用方法≫
次に、磁気テープ観察システム１の一使用方法について説明する。ここでは、サーボ信号が書き込まれた磁気テープＭＴを磁気現像し、磁気テープ観察システム１により、サーボ信号の書き込み位置を観察する場合について説明する。
【００２２】
［磁気テープの磁気現像］
サーボライタにより、サーボ信号が書き込まれた磁気テープＭＴを所定長さで切り出し、公知の磁気現像液を使用して磁気現像する。この磁気現像により、サーボ信号が有する磁界に対応して、磁気現像液中の磁性粉が付着し、その結果として、磁気テープＭＴの表面にサーボ信号が浮き出された状態となる。
【００２３】
［磁気テープへのテンションの付与］
磁気現像した磁気テープＭＴの一端をクリップ３ｂで挟み、磁気テープＭＴを引っ張って、うず巻きバネ３を引き出し、磁気テープＭＴにテンションを付与する。そして、テンションを付与したまま、磁気テープＭＴの他端を固定柱４のクリップ４ａで挟む。これにより、磁気テープＭＴの長手方向に、うず巻きバネ３のバネ定数に対応したテンションが付与される。
このようにうず巻きバネ３により、磁気テープＭＴにテンションを付与するため、うず巻きバネ３の引き出し量や、クリップ３ｂ、４ａでの磁気テープＭＴの挟み位置などの影響を受けずに、磁気テープＭＴに付与されるテンションは一定となる。
【００２４】
［磁気テープの吸着、観察］
そして、吸引ポンプ６を作動させて、テンションが付与された磁気テープＭＴを吸着台５に吸着する。次いで、このようにテンションを付与したまま吸着した磁気テープＭＴの表面を、光学的観察手段７により観察する。
【００２５】
このようにして、磁気テープ観察システム１によれば、磁気テープＭＴに一定のテンションを付与した状態で、磁気テープＭＴのサーボ信号の位置を、観察することができる。
また、磁気テープ観察システム１は、ガイドローラなどを使用していないため、磁気テープＭＴとガイドローラとの間で生じる摩擦力によって、磁気テープＭＴにテンションが付与されることもない。
【００２６】
以上、本発明の好適な実施形態について一例を説明したが、本発明は前記一実施形態に限定されず、本発明の趣旨を逸脱しない範囲で適宜な変更が可能である。
【００２７】
前記した実施形態では、セラミックなどの多孔質からなる吸着台５を使用し、これに接続する吸引ポンプ６を作動させることで磁気テープＭＴを吸着したが、磁気テープＭＴを吸着する方法はこれに限定されず、その他に例えば、複数のプラス極およびマイナス極が埋設され、静電気により磁気テープＭＴを吸着させる吸着台を使用してもよい。
【図面の簡単な説明】
【００２８】
【図１】本実施形態に係る磁気テープ観察システムの側面図である。
【符号の説明】
【００２９】
ＭＴ    磁気テープ
１      磁気テープ観察システム
３      うず巻きバネ
５      吸着台
６      吸引ポンプ
７      光学的観察手段
【図１】
2006092695.tif 000003